(57)【要約】【課題】二次電池モジュールの再利用率を向上することができる、再利用可能な二次電池モジュールの供給設定システムを提供すること。【解決手段】再利用可能な二次電池モジュールの供給設定システム１において、履歴情報収集部１０は、電池パック２を構成する複数の二次電池モジュール３の使用履歴を取得する。電池性能収集部２０は、複数の二次電池モジュール３の電池性能を取得する。劣化度推定部３０は、履歴情報収集部１０により取得された履歴情報と、電池性能収集部２０により取得された電池性能とに基づいて、複数の二次電池モジュール３における電池性能の劣化度を推定する。供給量予測部４０は、劣化度推定部３０の推定結果に基づいて、再利用可能な二次電池モジュール３の供給量を電池性能に応じて予測する。供給バランス設定部５０は、供給量予測部４０の供給量予測結果に基づいて、二次電池モジュール３の供給バランスを設定する。【選択図】図２
2020113507.tif 000002
【特許請求の範囲】
【請求項１】
電池パック（２）を構成する複数の二次電池モジュール（３）の使用に関する履歴情報を収集する履歴情報収集部（１０）と、
上記複数の二次電池モジュールの電池性能を収集する電池性能収集部（２０）と、
上記履歴情報収集部により取得された上記履歴情報と、上記電池性能収集部により取得された上記電池性能とに基づいて、上記複数の二次電池モジュールにおける電池性能の劣化度を推定する劣化度推定部（３０）と、
上記劣化度推定部の推定結果に基づいて、再利用可能な二次電池モジュールの供給量を電池性能に応じて予測する供給量予測部（４０）と、
上記供給量予測部の供給量予測結果に基づいて、上記二次電池モジュールの供給バランスを設定する供給バランス設定部（５０）と、
を有する、再利用可能な二次電池モジュールの供給設定システム（１）。
【請求項２】
上記二次電池モジュールの需要を予測する需要量予測部（７０）を有し、
上記供給バランス設定部は、上記供給量予測結果に基づいて、上記需要量予測部の需要量予測結果に応じた上記供給バランスを設定する、請求項１に記載の再利用可能な二次電池モジュールの供給設定システム。
【請求項３】
上記供給量予測部により予測された供給量予測結果及び上記供給バランス設定部により設定された供給バランスの少なくとも一方を表示する表示部を有する、請求項１又は２に記載の再利用可能な二次電池モジュールの供給設定システム。
【請求項４】
上記供給バランス設定部により設定された供給バランスに基づいて、上記複数の二次電池モジュールを分配する分配部（９０）を有する、請求項１〜３のいずれか一項に記載の再利用可能な二次電池モジュールの供給設定システム。
【請求項５】
上記供給バランス設定部により設定された上記供給バランスに関する情報を上記複数の二次電池モジュールに付与する情報付与部（８５）を有し、
上記分配部は、上記情報付与部によって付与された情報を参照して、上記複数の二次電池モジュールを分配する、請求項４に記載の再利用可能な二次電池モジュールの供給設定システム。
【請求項６】
上記分配部は、上記複数の二次電池モジュールを分配する際に、上記複数の二次電池モジュールとともに上記電池パックを構成する電池パック部品を分配するように構成されている、請求項４又は５に記載の再利用可能な二次電池モジュールの供給設定システム。
【請求項７】
上記複数の二次電池モジュールは、互いに異なる複数の車種に搭載される電池パックを構成可能である、請求項１〜６のいずれか一項に記載の再利用可能な二次電池モジュールの供給設定システム。
【請求項８】
上記供給バランス設定部は、再利用される上記二次電池モジュールを含む電池パックが使用される車種、地域、当該電池パックの耐用年数、当該電池パックが搭載される車両の航続可能距離の少なくとも一つを基準に供給バランスを設定する、請求項１〜７のいずれか一項に記載の再利用可能な二次電池モジュールの供給設定システム。
【発明の詳細な説明】
【技術分野】
【０００１】
本発明は、再利用可能な二次電池モジュールの供給設定システムに関する。
【背景技術】
【０００２】
近年、車両等に広く用いられるバッテリの再利用が行われるようになっている。当該バッテリを再利用するにあたっては、バッテリを構成する二次電池の性能に基づいてランク付け等を行い、供給先のニーズに応じたバッテリを提供することが行われている。例えば、特許文献１に開示の構成では、バッテリが搭載された中古車両を市場等から収集して当該車両の状態や電池性能を取得し、当該車両の寿命や将来の電池性能を予測してその予測結果をデータベース化している。そして、当該データベースに基づき、再利用に供されるバッテリの供給量を予測する構成が開示されている。
【先行技術文献】
【特許文献】
【０００３】
【特許文献１】国際公開第２０１２／１３３２１２号
【発明の概要】
【発明が解決しようとする課題】
【０００４】
車両等に搭載されるバッテリには、所定の単位でモジュール化された二次電池モジュールを適宜組み合わせてなる電池パックの形態とすることにより、容量の異なる車種や装置にも汎用的に使用可能なように構成されたものがある。そして、このような電池パックでは使用に伴って、電池パックを構成する複数の二次電池モジュールの劣化度や電池性能にはバラツキが生じる。そして、電池パックを構成する複数の二次電池モジュールにおける劣化度のバラツキが大きくなりすぎると電池パックが故障と診断される場合がある。かかる場合には、他の二次電池モジュールの劣化度が低かったとしても電池パック自体の交換が必要となる。そこで、二次電池モジュール単位で再利用することが考えられるが、利用の対象となる二次電池モジュールの性能は、使用される地域である仕向け地や二次電池モジュールが搭載される車種や装置、必要とされる保証期間などに応じて異なる。このような複数の二次電池モジュールを有する電池パックに対して、特許文献１に開示の構成を適用すると、電池パックの供給量の予測ができたとしても、二次電池モジュール単位で供給量の予測を高精度に行うことができない。そのため、二次電池モジュールの再利用率を向上するには改善の余地がある。
【０００５】
本発明は、かかる背景に鑑みてなされたもので、二次電池モジュールの再利用率を向上することができる、再利用可能な二次電池モジュールの供給設定システムを提供しようとするものである。
【課題を解決するための手段】
【０００６】
本発明の一態様は、電池パック（２）を構成する複数の二次電池モジュール（３）の使用に関する履歴情報を収集する履歴情報収集部（１０）と、
上記複数の二次電池モジュールの電池性能を収集する電池性能収集部（２０）と、
上記履歴情報収集部により取得された上記履歴情報と、上記電池性能収集部により取得された上記電池性能とに基づいて、上記複数の二次電池モジュールにおける電池性能の劣化度を推定する劣化度推定部（３０）と、
上記劣化度推定部の推定結果に基づいて、再利用可能な二次電池モジュールの供給量を電池性能に応じて予測する供給量予測部（４０）と、
上記供給量予測部の供給量予測結果に基づいて、上記二次電池モジュールの供給バランスを設定する供給バランス設定部（５０）と、
を有する、再利用可能な二次電池モジュールの供給設定システム（１）にある。
【発明の効果】
【０００７】
上記再利用可能な二次電池モジュールの供給設定システムにおいては、電池パックを構成する二次電池モジュールごとに履歴情報と電池性能とを取得し、当該二次電池モジュールの劣化度を推定する。当該推定結果に基づいて、再利用可能な二次電池モジュールの供給量を電池性能に応じて予測する。そして、供給量の予測結果に基づいて、電池性能に応じて二次電池モジュールの供給バランスを設定する。これにより、二次電池モジュール単位で電池性能に応じた供給バランスが設定されるため、二次電池モジュールの供給バランスを高精度に設定することできる。その結果、二次電池モジュールの再利用率を向上することができる。
【０００８】
以上のごとく、本発明によれば、二次電池モジュールの再利用率を向上することができる、再利用可能な二次電池モジュールの供給設定システムを提供することができる。
【０００９】
なお、特許請求の範囲及び課題を解決する手段に記載した括弧内の符号は、後述する実施形態に記載の具体的手段との対応関係を示すものであり、本発明の技術的範囲を限定するものではない。
【図面の簡単な説明】
【００１０】
【図１】実施形態１における供給設定システムが利用される環境を説明する概念図。
【図２】実施形態１における供給設定システムの構成を示す概念図。
【図３】実施形態１における（ａ）（ｂ）修理前の二次電池モジュールの電池性能、（ｃ）（ｄ）修理後の二次電池モジュールの電池性能を示す概念図。
【図４】実施形態１における（ａ）車両残存率の推移、（ｂ）車両構成比の推移を示す図。
【図５】実施形態１における（ａ）故障率と経過月数とのワイブル分布を示す図、（ｂ）故障率と走行距離とのワイブル分布を示す図。
【図６】実施形態１における（ａ）容量維持率と経過月数との関係を示す図、（ｂ）容量維持率と走行距離との関係を示す図。
【図７】実施形態１における供給設定システムの使用態様を示すフロー図。
【発明を実施するための形態】
【００１１】
（実施形態１）
上記再利用可能な二次電池モジュールの供給設定システムの実施形態について、図１〜図７を用いて説明する。
本実施形態の再利用可能な二次電池モジュールの供給設定システム１は、履歴情報収集部１０、電池性能収集部２０、劣化度推定部３０、供給量予測部４０、供給バランス設定部５０を有する。
履歴情報収集部１０は、電池パック２を構成する複数の二次電池モジュール３の使用履歴を取得する。
電池性能収集部２０は、複数の二次電池モジュール３の電池性能を取得する。
劣化度推定部３０は、履歴情報収集部１０により取得された履歴情報と、電池性能収集部２０により取得された電池性能とに基づいて、複数の二次電池モジュール３における電池性能の劣化度を推定する。
供給量予測部４０は、劣化度推定部３０の推定結果に基づいて、再利用可能な二次電池モジュール３の供給量を電池性能に応じて予測する。
供給バランス設定部５０は、供給量予測部４０の供給量予測結果に基づいて、二次電池モジュール３の供給バランスを設定する。
【００１２】
以下、本実施形態の再利用可能な二次電池モジュールの供給設定システム１について、詳述する。なお、本実施形態の再利用可能な二次電池モジュールの供給設定システム１は、以下、本明細書において「供給設定システム１」ともいう。
【００１３】
本実施形態の供給設定システム１は、図１に示すように、二次電池モジュール３の再利用を目的に使用される。そして、再利用される二次電池モジュール３を提供する再生モジュール提供事業者Ｘや、再生品の二次電池モジュール３を用いて電池パック２の交換修理サービスを提供する交換修理サービス提供事業者Ｙ１、Ｙ２にとって、いつ、どの程度の電池性能の二次電池モジュール３が、どの程度の量で供給されるかを把握することは、資材の調達スケジュールや製造スケジュールの策定、サービス提供の準備等を行うのに重要となる。
【００１４】
本実施形態の供給設定システム１では、図２に示すように、再生モジュール提供事業者Ｘと、交換修理サービス提供事業者Ｙ１、Ｙ２とによって利用可能なように構成されている。供給設定システム１は、車両に搭載されるバッテリとしての電池パック２が有する二次電池モジュール３のリサイクルにおける供給バランスを設定する。二次電池モジュール３を構成する二次電池は、例えば、リチウムイオン二次電池、ニッケル水素二次電池、又は鉛二次電池などとすることができる。図２に示す電池パック２は、中古車両に搭載されたものであり、その使用環境は様々となっている。そして、二次電池モジュール３は電池パック２に複数搭載されており、所定期間使用した後の劣化度や電池性能は使用された環境や二次電池モジュール３の個体差などを含めて様々となっている。
【００１５】
図２に示す履歴情報収集部１０は、二次電池モジュール３の使用に関する履歴情報を収集する。履歴情報としては、二次電池モジュール３における温度、電流、ＳＯＣ、使用期間や二次電池モジュール３が搭載された車両の走行距離、充電回数などを含むことができる。履歴情報収集部１０は、電池パック２に搭載されたバッテリマネジメントユニット（ＢＭＵ）により構成することができる。収集された二次電池モジュール３の履歴情報は格納部６０に格納される。格納部６０は書き換え可能な不揮発性メモリからなる。
【００１６】
図２に示す電池性能収集部２０は、二次電池モジュール３の電池性能を取得する。電池特性としては、容量、入出電力、自己放電率などを含むことができる。例えば、電池性能収集部２０は電池パック２に搭載されたバッテリマネジメントユニット（ＢＭＵ）により構成することができる。取得された二次電池モジュール３の電池特性は格納部６０に格納される。また、車両外部、例えば充電スタンド等に電池性能収集部２０としての電池性能収集装置を設けて、二次電池モジュール３の電池性能を収集してもよい。また、車両ディーラーなどにおいて、電池性能収集部２０としての電池性能収集装置を用いて、二次電池モジュール３の電池性能を収集してもよい。また、再生モジュール提供事業者において、電池性能収集装置を用いて、二次電池モジュール３の電池性能を収集してもよい。
【００１７】
図２に示す劣化度推定部３０は、履歴情報収集部１０により取得された履歴情報と、電池性能収集部２０により取得された電池性能とに基づいて、将来の二次電池モジュール３の劣化度を推定する。劣化度推定部３０は当該劣化度の推定を行うプログラムを実行するＣＰＵ等の演算装置からなる。例えば、劣化度推定部３０は電池パック２に搭載されたバッテリマネジメントユニット（ＢＭＵ）によりオンボードで構成したり、車両外部に設けられた所定のプログラムを実行する劣化度推定装置により構成したりすることができる。車両外部に設けられた劣化度推定装置を利用する場合には、電池パック２に接続された無線通信装置を介して電池パック２のＢＭＵから履歴情報と電池性能とを無線で取り出したり、車両ディーラーなどにおいて、電池パック２のＢＭＵの外部接続端子を介して電池パック２のＢＭＵから履歴情報と電池性能とを有線で取り出したりすることができる。
【００１８】
劣化度推定部３０における劣化度の推定は、公知の方法により行うことができる。劣化度推定部３０は、二次電池モジュール３を推定された劣化度に基づいてランク付けすることができる。例えば、推定された劣化度が比較的低いものをＡランク、劣化度が比較的高いものをＢランクとして、２つのランクに分けることができる。なお、劣化度が著しく高い二次電池モジュール３は再利用に適さないため、分解等を行って図１に示すリサイクル事業者による材料リサイクルを行ってもよい。
【００１９】
二次電池モジュール３の劣化度の変化は、当該二次電池モジュール３を含む電池パック２が搭載された車両の車種によって異なる。また、当該車種が製造された時期によってもＢＭＵのプログラムにおける仕様変更などに起因して異なる場合がある。また、当該車両が使用された環境によっても異なる場合がある。そして、仕向け地や車種によって複数の二次電池モジュール３間の電池性能のバラツキの許容範囲が異なる。例えば、図３（ａ）に示す仕向け地Ａかつ車種Ｓの場合の許容範囲Ｒａは、図３（ｂ）に示す仕向け地Ｂかつ車種Ｔの場合の許容範囲Ｒｂよりも上限及び下限が低くなっている。
【００２０】
そして、図３（ａ）に示す仕向け地Ａかつ車種Ｓでは、電池パック２に備えられる複数の二次電池モジュール３のうち、許容範囲Ｒａの下限以下である二次電池モジュール３ｘは、電池性能が許容範囲Ｒａ内のものに交換して修理する必要がある。そして、図３（ａ）仕向け地Ａかつ車種Ｓでは、許容範囲Ｒａが比較的低い領域にあるため、交換修理後の二次電池モジュール３ｘは、図３（ｃ）に示すように劣化度が比較的高いＢランクの二次電池モジュール３ｂとすることができる。
【００２１】
一方、図３（ｂ）仕向け地Ｂかつ車種Ｔにおいても電池パック２に備えられる複数の二次電池モジュール３のうち、許容範囲Ｒｂの下限以下である二次電池モジュール３ｙは、電池性能が許容範囲Ｒｂ内のものに交換して修理する必要がある。そして、図３（ｂ）に示す仕向け地Ｂかつ車種Ｔでは、許容範囲Ｒｂが比較的高い領域にあるため、交換修理後の二次電池モジュール３ｙは、図３（ｄ）に示すように劣化度が比較的低いＡランクの二次電池モジュール３ａとする必要がある。このように、電池パック２が使用される地域である仕向け地Ａ、Ｂや電池パック２が搭載される車種Ｓ、Ｔの違いによって、交換修理時に要求される二次電池モジュール３の電池性能が異なる。
【００２２】
図２に示す供給量予測部４０は、劣化度推定部３０の推定結果に基づいて再利用可能な二次電池モジュール３の供給量を予測する。当該予測は、例えば、図４（ａ）に示す車両登録後の経時的な車両残存率の推移や、図４（ｂ）に示す経時的な車両構成比の推移などに基づいて、劣化度推定部３０の推定結果からランクごとにその供給量を予測することができる。図４（ａ）に示す車両残存率の推移や車両構成比の推移などは、予め記憶部６５に記憶されている。
【００２３】
図２に示す供給バランス設定部５０は、劣化度推定部３０の推定結果に基づき、将来における二次電池モジュール３の供給バランスを設定する。「二次電池モジュール３の供給バランス」とは、どの程度の劣化度の二次電池モジュール３をどの程度の供給量で仕向け地に分配するかを示すものである。供給バランスは、劣化度推定部３０の推定結果に基づくランクに基づいて設定することができる。例えば、供給バランスとして、将来的に供給される二次電池モジュール３の供給量が多いと予想されるランクの二次電池モジュール３については仕向け地への供給量を多くし、将来的な供給量が少ないと予想されるランクの二次電池モジュール３については供給量を控えるように設定することができる。供給バランス設定部５０は劣化度推定部３０の推定結果とともに、後述する需要量予測部７０による需要の予測結果に応じて、需要に則した供給バランスを設定することができる。
【００２４】
本実施形態では、図２に示すように、供給設定システム１は需要量予測部７０を有する。需要量予測部７０は、二次電池モジュール３の需要を予測する。二次電池モジュール３の需要は、二次電池モジュール３の電池性能に応じて予測することができる。例えば、地域、車種、経年、航続距離、累積故障率、容量維持率などから将来の二次電池モジュール３の需要を予測することができる。
【００２５】
本実施形態では、需要量予測部７０は、図５（ａ）に示す仕向け地Ａ及び仕向け地Ｂ、車種Ｓ及び車種Ｔにおける故障率と経過月数とのワイブル分布や、図５（ｂ）に示す仕向け地Ａ及び仕向け地Ｂ、車種Ｓ及び車種Ｔにおける故障率と走行距離とのワイブル分布に基づいて、将来の二次電池モジュール３の需要を予測する。また、図６（ａ）に示す仕向け地Ａ及び仕向け地Ｂ、車種Ｓ及び車種Ｔにおける容量維持率と経過月数との関係や、図６（ｂ）に示す仕向け地Ａ及び仕向け地Ｂ、車種Ｓ及び車種Ｔにおける容量維持率と走行距離との関係に基づいて、将来の二次電池モジュール３の需要を予測することとしてもよい。
【００２６】
また、本実施形態では、図２に示すように、供給設定システム１は供給量予測部４０により予測された供給量予測結果及び供給バランス設定部５０により設定された供給バランスの少なくとも一方を表示する表示部８０を有する。表示部８０に表示された情報をもとに、再利用品の二次電池モジュール３の必要とする交換修理サービス提供事業者Ｙ１、Ｙ２が所望の劣化度の二次電池モジュール３の供給予測や供給バランスを確認することができる。
【００２７】
また、本実施形態では、供給バランス設定部５０により設定された供給バランスに関する情報を複数の二次電池モジュール３に付与する情報付与部８５を有する。情報付与部８５が付与する情報は、当該二次電池モジュールが使用される仕向け地、電池性能の劣化度などとすることができる。情報の付与は二次電池モジュール３に当該情報を含むタグや二次元コードなどを貼り付けたり、図２に示すように二次電池モジュール３に予め貼り付けられた二次元コード３１などに当該情報を付加したりすることにより行うことができる。
【００２８】
また、本実施形態では、供給バランス設定部５０により設定された供給バランスに基づいて、複数の二次電池モジュール３を分配する分配部９０を有する。そして、分配部９０は、情報付与部８５によって付与された情報を参照して、複数の二次電池モジュール３を分配するように構成されており、例えば、二次電池モジュール３が使用される仕向け地ごとに自動的に分配するように構成されている。さらに本実施形態では、分配部９０は、複数の二次電池モジュール３を分配する際に、図２に示すように複数の二次電池モジュール３とともに電池パック２を構成する電池パック部品４を分配するように構成されている。
【００２９】
次に、供給設定システム１の使用態様について、図７のフロー図を用いて説明する。
まず、図７に示すステップＳ１において、中古の電池パック２を収集する。そして、収集した電池パック２に備えられた二次電池モジュール３をすべて取り出す。その後、ステップＳ２において、履歴情報収集部１０により複数の二次電池モジュール３の履歴情報を取得する。また、電池性能収集部２０により複数の二次電池モジュール３の電池性能を取得する。取得した情報はそれぞれ格納部６０に格納する。
【００３０】
次に、図７に示すステップＳ３において、劣化度推定部３０により、二次電池モジュール３の履歴情報と電池性能に基づいて、二次電池モジュール３の劣化度を推定する。本実施形態では、劣化度に応じてＡランク又はＢランクのランク付けを行う。そして、ステップＳ４において、供給量予測部４０により、劣化度のランクごとに二次電池モジュール３の供給量を予測する。
【００３１】
次に、図７に示すステップＳ５において、需要量予測部７０により二次電池モジュール３の需要量を予測する。本実施形態では、需要量予測部７０は、仕向け地Ａ及び仕向け地Ｂにおける二次電池モジュール３の需要量を劣化度に応じて予測する。
【００３２】
そして、図７に示すステップＳ６において、供給バランス設定部５０により、二次電池モジュール３の供給量の予測結果と需要量予測部７０の予測結果に基づいて、二次電池モジュール３の供給バランスを設定する。その後、情報付与部８５により、二次電池モジュール３に、供給バランスに基づく情報を付与する。その後、ステップＳ８において、表示部８０により、ユーザの要求に応じて二次電池モジュール３の供給予測や供給バランスを表示する。
【００３３】
そして、図７に示すステップＳ９において、分配部９０により供給バランスに基づいて、二次電池モジュール３を仕向け地Ａ及び仕向け地Ｂ、車種Ｓ及び車種Ｔごとに分配する。本実施形態では、複数の二次電池モジュール３を分配する際に、複数の二次電池モジュール３とともに電池パック２を構成する電池パック部品４を分配する。
【００３４】
次に、本実施形態の供給設定システム１における作用効果について、詳述する。
本実施形態の供給設定システム１においては、電池パック２を構成する二次電池モジュール３ごとに履歴情報と電池性能とを取得し、当該二次電池モジュール３の劣化度を推定する。当該推定結果に基づいて、再利用可能な二次電池モジュール３の供給量を電池性能に応じて予測する。そして、当該供給量の予測結果に基づいて、電池性能に応じて二次電池モジュール３の供給バランスを設定する。これにより、二次電池モジュール単位で電池性能に応じた供給バランスが設定されるため、二次電池モジュール３の供給バランスを高精度に設定することできる。その結果、二次電池モジュール３の再利用率を向上することができる。
【００３５】
また、本実施形態では、二次電池モジュール３の需要を予測する需要量予測部７０を有し、供給バランス設定部５０は、供給量予測結果に基づいて需要量予測部７０の需要量予測結果に応じた供給バランスを設定する。これにより、二次電池モジュール３の需要に応じて二次電池モジュール３の供給バランスが設定されるため、二次電池モジュール３の再利用率を一層向上することができる。
【００３６】
また、本実施形態では、供給量予測部４０により予測された供給量予測結果及び供給バランス設定部５０により設定された供給バランスの少なくとも一方を表示する表示部８０を有する。これにより、再生モジュール提供事業者Ｘや交換修理サービス提供事業者Ｙ１、Ｙ２などが供給量予測結果や供給バランスを容易に把握することができる。
【００３７】
また、本実施形態では、供給バランス設定部５０により設定された供給バランスに基づいて、複数の二次電池モジュール３を分配する分配部９０を有する。これにより、二次電池モジュール３の分配が容易となるため、作業効率が向上する。
【００３８】
また、本実施形態では、供給バランス設定部５０により設定された供給バランスに関する情報を複数の二次電池モジュール３に付与する情報付与部８５を有し、分配部９０は、情報付与部８５によって付与された情報を参照して、複数の二次電池モジュール３を分配する。これにより、二次電池モジュール３の分配が一層容易となり、作業効率が向上する。また、情報付与部８５によって付与された情報に基づいて、分配された二次電池モジュール３の追跡化可能となり、品質管理の精度の向上を図ることができる。
【００３９】
また、本実施形態では、分配部９０は、複数の二次電池モジュール３を分配する際に、複数の二次電池モジュール３とともに電池パック２を構成する電池パック部品４を分配するように構成されている。これにより、電池パック２を構成する部品を別途調達する必要がないため、電池パック２の組み上げ作業の効率が向上する。
【００４０】
また、本実施形態では、複数の二次電池モジュール３は、互いに異なる複数の車種である車種Ｓ及び車種Ｔに搭載される電池パック２を構成可能となっている。これにより、本実施形態の供給設定システム１では、複数の車種を跨いだ二次電池モジュール３の再利用を促すことができ、二次電池モジュール３の再利用率を一層向上することができる。
【００４１】
また、本実施形態では、供給バランス設定部５０は、再利用される二次電池モジュール３を含む電池パック２が使用される車種、地域、当該電池パックの耐用年数、当該電池パックが搭載される車両の航続可能距離の少なくとも一つを基準に供給バランスを設定する。これにより、二次電池モジュール３の再利用率を一層向上することができる。
【００４２】
以上のごとく、本実施形態によれば、二次電池モジュール３の再利用率を向上することができる、再利用可能な二次電池モジュール３の供給設定システム１を提供することができる。
【００４３】
本発明は上記各実施形態に限定されるものではなく、その要旨を逸脱しない範囲において種々の実施形態に適用することが可能である。
【符号の説明】
【００４４】
１  供給設定システム
２  電池パック
３  二次電池モジュール
１０  履歴情報収集部
２０  電池性能収集部
３０  劣化度推定部
４０  供給量予測部
５０  供給バランス設定部
７０  需要量予測部
８０  表示部
８５  情報付与部
９０  分配部
【図１】
2020113507.tif 000003
【図２】
2020113507.tif 000004
【図３】
2020113507.tif 000005
【図４】
2020113507.tif 000006
【図５】
2020113507.tif 000007
【図６】
2020113507.tif 000008
【図７】
2020113507.tif 000009